(57)【特許請求の範囲】
【請求項１】
車両等のパネルにスタッドボルトを設け、該スタッドボルトが挿入されるスリットを有する拡開固定部をボックス本体に設け、前記スタッドボルトに螺合されるナットによりボックス本体を車両に着脱可能に取付ける電気接続箱の取付け構造において、前記拡開固定部に前記スタッドボルトが挿入可能になるスリットに略交叉してナットの鍔部下側が係止可能になる係止部を設けたことを特徴とする電気接続箱の取付け構造。
【請求項２】
拡開固定部はボックス本体の隣接する側壁部の対角線部位に外向きに設けられることを特徴とする請求項１に記載の電気接続箱の取付け構造。
【請求項３】
拡開固定部に設けられる係止部は、スリットを挟んで左右の何れかまたは左右双方の下方部に略対向して設けられることを特徴とする請求項１に記載の電気接続箱の取付け構造。
【請求項４】
拡開固定部に設けられる係止部の内側にスタッドボルトに螺合するナットの外周が接触可能な案内斜面部をスリットの閉鎖内端部に向けて正面側および側面側において所望角度θ1 ，θ2 にて形成したことを特徴とする請求項１に記載の電気接続箱の取付け構造。
【発明の詳細な説明】
【０００１】
【発明の属する技術分野】
本発明は電気接続箱の取付け構造に関し、例えば自動車において電気系統に電線を配索するのに使用するリレーボックスやヒューズボックス等をスタッドボルトとナットを用いてずれ動くことなく所望の位置に取付けようとするものである。
【０００２】
【従来の技術】
自動車の電気系統において電線を配索する場合にリレーボックス、ヒューズボックス等の電気接続箱が使用される。
このリレーボックス、ヒューズボックス等の電気接続箱を車両に取付けるための取付構造としては従来、例えば図７ないし図１０に示すものがあった。
すなわち、車両等の内部構造物としてのパネルｂ，ｂ′にスタッドボルトｃ，ｃを設け、該スタッドボルトｃ，ｃが挿入されるスリットｄを有する拡開固定部ｅ，ｅをボックス本体ａに設け、前記スタッドボルトｃ，ｃに矢印Ｓ方向に回動操作して螺合されるナットｆ，ｆによりボックス本体ａを車両に着脱可能に取付ける。図７では、車両に隣接し平面略交叉して配置されるパネルｂ，ｂ′にスタッドボルトｃ，ｃが夫々設けられている。また、このスタッドボルトｃ，ｃが挿入されるスリットｄを有する拡開固定部ｅ，ｅは、ボックス本体ａの隣接する側壁部ａ1 ，ａ2 の対角部位に外向きに設けられている。Ｗはボックス本体ａに配索されるワイヤーハーネスである。
【０００３】
【発明が解決しようとする課題】
図７ないし図１０に示す上記従来の電気接続箱の取付け構造は、ボックス本体ａを車両に固定するのに、先ず車両等のパネルｂ，ｂ′に設けたスタッドボルトｃ，ｃをボックス本体ａに設けた拡開固定部ｅ，ｅのスリットｄ，ｄ内に挿入した上でスタッドボルトｃ，ｃにナットｆ，ｆを回動操作して螺合することにより拡開固定部ｅ，ｅをナットｆ，ｆにて締付、固定して取付けが行われる。この際、ナットｆ，ｆによる締付、固定時にナットｆ，ｆを図８の矢印Ｓ方向に回動操作すると、ナットｆ，ｆの回転力が摩擦によって拡開固定部ｅ，ｅに伝達されるので、電気接続箱のボックス本体ａは、所望の正規の取付位置Ｐより上方のＰ′位置へずれ動いて取付けられ、所望位置には取付けられないという不都合を生じていた。仮にナットｆ，ｆによる回転力が摩擦によって拡開固定部ｅ，ｅに伝達されないように慎重にナットｆ，ｆを回動操作してボックス本体ａを車両の所望位置Ｐに固定しようとすると、多くの時間と手間がかかり、ボックス本体ａの取付作業は非能率的であった。
本発明は上記従来の不都合を解決し、スタッドボルトに対するナットの締付、固定時にボックス本体のずれ動きを防止して所望位置に迅速かつ確実にボックス本体を取付けることができる電気接続箱の取付け構造を提供しようとするものである。
【０００４】
【課題を解決するための手段】
本発明の請求項１は、車両のパネルにスタッドボルトを設け、該スタッドボルトが挿入されるスリットを有する拡開固定部をボックス本体に設け、前記スタッドボルトに螺合されるナットによりボックス本体を車両に着脱可能に取付ける電気接続箱の取付け構造において、前記拡開固定部に前記スタッドボルトが挿入可能になるスリットに略交叉してナットの鍔部下側が係止可能になる係止部を設けたことを特徴とするという手段を採用した。
【０００５】
また本発明の請求項２は、請求項１において拡開固定部はボックス本体の隣接する側壁部の対角線部位に外向きに設けられるという手段を採用した。
【０００６】
また本発明の請求項３は、請求項１において拡開固定部に設けられる係止部は、スリットを挟んで左右の何れかまたは左右双方の下方部に略対向して設けられることを特徴とするという手段を採用した。
【０００７】
また本発明の請求項４は、請求項１において拡開固定部に設けられる係止部の内側にスタッドボルトに螺合するナットの外周が接触可能な案内斜面部をスリットの閉鎖内端部に向けて正面側および背面側において所望角度にて形成したことを特徴とするという手段を採用した。
【０００８】
【発明の実施の形態】
以下、本発明の実施の形態の具体例を図面を参照して説明する。
図１ないし図６は本発明の一実施例を示し、車両２の例えば運転席下部のパネル３，３′にスタッドボルト４，４を設け、該スタッドボルト４，４が挿入されるスリット５を有する拡開固定部６，６をボックス本体１に設け、前記スタッドボルト４，４に螺合されるナット７，７によりボックス本体１を車両２のパネル３，３′に着脱可能に取付ける電気接続箱の取付構造である点は図７ないし図１０に示す従来例と同様な構成である。
【０００９】
しかしながら、本実施例では前記拡開固定部６，６に図示されるような縦状のスリット５に略交叉してナット７の鍔部下側７ａが係止可能になる係止部８，８を設けている。また図１に示すようにこの実施例では、拡開固定部６，６は、ボックス本体１の隣接する側壁部１ａ，１ｂの対角線部位に外向きに設けられている。
また係止部８は、図１、図２、図３に示すようにスリット５を挟んで左右双方の下方部に略交叉して複数、例えば２個が設けられるが、これに限ることなく図には示さないがスリット５に対して左右何れか片方に１個が設けられてもよい。
また図示ではスリット５を挟んで左右双方の下方部に係止部８，８を設けたが、上記のように図１の下方部に略対向して設けた係止部８，８に対応して必要に応じて上方部位にスリット５を挟んで図には示さない係止部を設けてもよい。
【００１０】
８ａは拡開固定部６，６に設けた係止部８，８の内側に形成される案内斜面部であり、この案内斜面部８ａ，８ａはスタッドボルト４，４に螺合するナット７，７の外周、例えばナット７の鍔部下側７ａ，７ａが接触可能に図２においてスリット５の上方に位置する閉鎖内端部５ａに向けて図２に示すように正面側および図５に示すように側面側において所望角度θ1 ，θ2 にて形成されることによりスタッドボルト４，４にナット７，７を螺合する螺合時にナット７，７を螺進するのに従いナット７，７が係止部８，８の内側に形成した案内斜面部８ａ，８ａに案内されながら滑り下り、ナット７，７による締付、固定が強化されるようになっている。
【００１１】
この実施例では、拡開固定部６，６のスリット５に略交叉して設けた係止部８，８の内側に形成される案内斜面部８ａ，８ａは、スリット５の閉鎖内端部５ａに向けて図２に示すように正面側において所望角度θ1 にて形成され、しかも図５に示すように側面側において所望角度θ2 に形成されるので、ナット７，７は拡開固定部６，６に設けたスリット５の閉鎖内端部５ａに向けて係止部８，８の内側の案内斜面部８ａ，８ａに付けられた所望角度θ1 ，θ2 により縦横に案内されることにより降下される。このため、ボックス本体１は、ナット７，７をスタッドボルト４，４に螺合するのに矢印Ｓ方向に回動操作する螺合時に拡開固定部６，６が図７ないし図１０に示す従来のように車両２のパネル３，３′に対して上方へずれ動くことがなくなりパネル３，３′の所望位置Ｐに迅速かつ確実にボックス本体１を取付けることができる。
なおＷはボックス本体１に対して配索して接続されるワイヤーハーネスである。
【００１２】
本発明の一実施例は以上の構成からなり、リレーボックスやヒューズボックスのような電気接続箱よりなるボックス本体１を車両２に固定するには、例えば図１に示すように隣接して交叉するパネル３，３′に設けたスタッドボルト４，４をボックス本体１の隣接する側壁部１ａ，１ｂの対角線部位に外向きに設けた拡開固定部６，６の縦状のスリット５，５内に挿入する。次いでパネル３，３′に略交叉して設けたスタッドボルト４，４にナット７，７を螺合して行くと、ボックス本体１における拡開固定部６，６のスリット５に対して略交叉して設けた２個の係止部８，８の内側にはナット７，７の外周、例えば鍔部下側７ａ，７ａに接触可能な係止部８，８が略対向して形成されているので、スタッドボルト４，４に対してナット７，７を矢印Ｓ方向に回動して螺合する螺合時にナット７，７が螺進するのに従いナット７，７の外周、例えば鍔部下側７ａ，７ａは係止部８，８に接触して拡開固定部６，６を有するボックス本体１が上方へずれ動くのを規制するため、ナット７，７の回動力が拡開固定部６，６に摩擦により伝達されなくても図７ないし図１０に示す従来の電気接続箱の取付構造とは異なりボックス本体１を所望位置に取付けることができる。
【００１３】
この際、ボックス本体１の拡開固定部６，６にスリット５に対して略交叉して設けた係止部８，８には、図２に示すように正面側において所望角度θ1 にて形成され、しかも図５に示すように側面側において所望角度θ2 の案内斜面部８ａ，８ａが形成されているので、スタッドボルト４，４に螺合されるナット７，７は拡開固定部６，６に設けたスリット５の閉鎖内端部５ａに向けて係止部８，８の内側の案内斜面部８ａ，８ａにより縦方向および横方向に縦横に案内されて降下されながら回動され、締付、固定が強化されて行く。このため、ボックス本体１は、図７ないし図１０に示す従来の電気接続箱の取付け構造のように交叉して配置されるパネル３，３′に最終的に本来、取付けたいと希望する所望位置Ｐに拡開固定部６，６を介して取付けられる。
【００１４】
また図示する上記実施例では、ボックス本体１の隣接して交叉する側壁部１ａ，１ｂの対角線部位に拡開固定部６，６を外向きに取付けた場合が例示されているが、これに限ることなく例えばボックス本体１の一側壁部の長手方向の左右の側端に拡開固定部６，６を設けてパネルの対応位置に設けられるスタッドボルト４，４を拡開固定部６，６に設けたスリット５，５内に挿入後にナット７をスタッドボルト４，４に螺合することによりボックス本体１を取付けることも本発明の適用範囲である。また拡開固定部６とスタッドボルト４との設置個数は、図示のものに限らず、その増減変更は自由に行える。
【００１５】
なお図示する実施例ではボックス本体１をパネル３，３′に取付けるのに、スタッドボルト４，４にナット７，７を螺合することによりボックス本体１を取付けるようにしているが、スタッドボルト４ではない単なるボルトとナット７とを使用してボックス本体１を取付けることも本発明の適用範囲である。
【００１６】
【発明の効果】
以上のように本発明の請求項１または請求項３によると、車両のパネルにスタッドボルトを設け、該スタッドボルトが挿入されるスリットを有する拡開固定部をボックス本体に設け、前記スタッドボルトに螺合されるナットによりボックス本体を車両に着脱可能に取付ける電気接続箱の取付け構造において、前記拡開固定部に前記スタッドボルトが挿入可能になるスリットに略交叉してナットの鍔部下側が係止可能になる係止部を設けたので、スタッドボルトに対するナットの締付、固定時にボックス本体のずれ動きが防止され、所望位置に迅速かつ確実にボックス本体を取付けることができる。
【００１７】
また本発明の請求項２によると、拡開固定部はボックス本体の隣接する側壁部の対角線部位に外向きに設けられるので、ボックス本体を例えば自動車の隣接するパネルが交叉する隅角部部位を利用してボックス本体を取付けることができ、取付空間部の省力化がはかれる。
【００１８】
また本発明の請求項４によると、拡開固定部に設けられる係止部の内側にスタッドボルトに螺合するナットの外周が接触可能な案内斜面部をスリットの閉鎖内端部に向けて正面側および背面側において所望角度にて形成したので、ナットはスタッドボルトに対して螺合が進むに従ってスリットの閉鎖内端部に向けて係止部の内側に形成される案内斜面部に縦横に案内されることにより降下されながら回動されるため、ボックス本体を所望位置に取付けるのに有益である。
【図面の簡単な説明】
【図１】  本発明の電気接続箱の取付け構造の一実施例を示す斜視図である。
【図２】  同じく本実施例を構成する拡開固定部をスタッドボルトとナットとを用いて組付けた状態の拡大正面図である。
【図３】  同じく取付け状態を示す拡大斜視図である。
【図４】  同じく図２のＡ−Ａ拡大断面図である。
【図５】  同じくスタッドボルトにナットを螺合した拡開固定部の組付当初の状態を示す拡大側面図である。
【図６】  同じくスタッドボルトにナットを螺合して拡開固定部を組付けた状態を示す拡大側面図である。
【図７】  従来のこの種電気接続箱の取付け構造体を示す斜視図である。
【図８】  同じく組付け状態を示す拡大正面図である。
【図９】  同じくスタッドボルトにナットを螺合した拡開固定部の組付当初の状態を示す拡大側面図である。
【図１０】  同じく拡開固定部の組付け状態を示す拡大側面図である。
【符号の説明】
１    ボックス本体
１ａ  側壁部
１ｂ  側壁部
２    車両
３    パネル
３′  パネル
４    スタッドボルト
５    スリット
５ａ  閉鎖内端部
６    拡開固定部
７    ナット
７ａ  鍔部下側
８    係止部
８ａ  案内斜面部
θ1   角度
θ2   角度
【図１】
0003830072.tif 000002
【図２】
0003830072.tif 000003
【図３】
0003830072.tif 000004
【図４】
0003830072.tif 000005
【図５】
0003830072.tif 000006
【図６】
0003830072.tif 000007
【図７】
0003830072.tif 000008
【図８】
0003830072.tif 000009
【図９】
0003830072.tif 000010
【図１０】
0003830072.tif 000011